Podtech/llm-jp-corpus-v4-ja_patent huggingface dataset:
(57)【要約】      （修正有）【課題】写真アルバム作りができるクリアファイルを提供する。【解決手段】クリアファイルの表紙１ａまたは裏表紙１ｂの数ヶ所に写真Ｓの角部を挟み止めするスリット２ａ，２ｂを設けて、クリアファイル内に挿入する写真の対角点を表紙または裏表紙に挟み止めする。写真はクリアファイル内をずれ動いて斜めになったり、こすれて傷がつくことがないため、写真アルバム作りができる。【選択図】図１
0003192087.tif 000002
【実用新案登録請求の範囲】
【請求項１】
表紙と裏表紙とからなるクリアファイルにおいて、表紙または裏表紙の数ヶ所に写真の角部を挟み止めするスリットを設けて、クリアファイル内に挿入する写真の対角２点を表紙または裏表紙に挟み止め添着して写真アルバムを構成するようにしたことを特徴とするアルバム作りの可能なクリアファイル。
【請求項２】
各スリットを飾り模様帯にて囲んで表飾する請求項１に記載のアルバム作りの可能なクリアファイル。
【請求項３】
各スリットは外側に写真の挟み止め角部をクリアファイル内にかくし入れするかくしスリットを設ける請求項１に記載のアルバム作りの可能なクリアファイル。
【考案の詳細な説明】
【技術分野】
【０００１】
この考案はアルバム作りの可能なクリアファイルに関するものある。
【背景技術】
【０００２】
本願の考案者，出願人は先に実用新案登録第３１４６２１８号公報などにて新鮮なクリアファイルを数多く提案してきている。登録第３１４６２１８号の実用新案は表紙と裏表紙のずれた位置に必要な情報と背景画などの印刷面を設けて美化していてクリアファイル内に書類等を挟み入れると裏表紙の背景画などの印刷面がさえぎられて見えなくなって表紙の必要な情報のみが鮮明に読み取れるようになるということを記載している。
【特許文献１】実用新案登録第３１４６２１８号公報
【考案の開示】
【考案が解決しようとする課題】
【０００３】
しかしながら、クリアファイル内に写真を入れるときは、クリアファイルに写真を止め支えする手段がないために写真はクリアファイル内をずれ動いて斜めになったりして見にくく、また、こすれて傷がつくという課題があった。
【課題を解決するための手段】
【０００４】
本考案は、クリアファイルの一面の数ヶ所に写真の対角２点または４点を挟み止めするスリットを設けてクリアファイル内に入れる写真をスリットによりクリアファイルの一面に挟み止めるようにして、かかる課題を解決したのである。
【考案の効果】
【０００５】
本考案は、クリアファイルの一面の適所の対角位置にスリットを設けたので、写真の対角２点乃至４点を内側から挿し挟み止めて写真アルバムとすることができるという効果を生ずる。
【０００６】
各スリットの外側のかくしスリットに写真の挟み止め角部を挟み入れることで写真の角部をクリアファイル内にかくし入れすることができるという効果を生ずる。
【０００７】
各スリットは飾り模様帯にて囲んで美化することができるという効果を生ずる。
【図面の簡単な説明】
【０００８】
【図１】（ａ）は第１実施例のクリアファイルを形成前の状態にて示す展開正面図、（ｂ）は同、クリアファイルと写真を添着前の状態で示す正面図
【図２】（ａ）は写真を挟み止め添着した状態を示す正面図、（ｂ）はクリアファイル内に書類を入れた状態にて示す正面図
【図３】スリットを対角４点に設けた第２実施例を示す正面図
【図４】スリットの外側にかくしスリットを設けた実施例を示す正面図
【符号の説明】
【０００９】
１はクリアファイル
１ａは表紙
１ｂは裏表紙
２ａ，２ｂ，２ｃ，２ｄはスリット
３はアルバム
４は飾り模様帯
５ａ，５ｂはかくりスリット
Ｐ１，Ｐ２は印刷面
Ｓは写真
Ｋは書類
【考案を実施するための最良の形態】
【００１０】
本考案は、Ａ４サイズのクリアファイルに標準サイズの写真を縦と横の２枚にて並べ添着することができるように、表紙の適所に数個のスリットを設けて形成する。
【実施例１】
【００１１】
図１乃至図０は第１実施例を示すもので、クリアファイル１の表紙１ａに上下２組のスリット２ａ，２ｂを設けたもので、それぞれのスリットは対角２点の位置にあって、クリアファイル１内に入れる写真Ｓの対角２点の角部Ｓ１，Ｓ２を各スリット２ａ，２ｂから表側に挿し挟み出して写真Ｓを表紙１ａの内面に挟み止め添着する。
【００１２】
このようにして縦横２枚の写真Ｓは添着によりクリアファイル１の表紙１ａの内面に添着されるためにクリアファイル１を携帯しても振動等による写真Ｓの抜け出し，ずれ動きがなどが生じないものとなり、写真Ｓはこすれ等による損傷が確実に防止されることとなって、クリアファイル１は写真Ｓのアルバム３を構成させることができることとなる。勿論、書類Ｋを持ち運ぶためのクリアファイル１として使用することができる。
【００１３】
図２（ａ）に示すようにクリアファイル１内に書類Ｋを入れないときは裏表紙１ｂの印刷面Ｐ２が表紙１ａの印刷面Ｐ１とともに透けて見えて写真Ｓを豪華に飾り立てて華やかにし、図２（ｂ）に示すように書類Ｋを収納したときは写真Ｓが目立って際立つものとなる。４はスリット２ａ，２ｂに沿って印刷形成した飾り模様帯である。
【００１４】
なお、図面では写真Ｓを縦置きと横置きとした例で示しているが、縦と縦、横と縦、横と横の配列にて添着するようにすることもできる。
【実施例２】
【００１５】
図３は第２実施例であって、スリット２ａ，２ｂのほかクロスする方向の対角２点にスリット２ｃ，２ｄを設けて、写真Ｓを４辺角Ｓ１，Ｓ２，Ｓ３，Ｓ４のすべてにおいて挟み止めするようにしたものである。写真Ｓは４点止めすることによって添着が強化されることとなる。
【実施例３】
【００１６】
図４は第３実施例であって、各スリット２ａ，２ｂの外側にかくしスリット５ａ，５ｂを設けて、挟み止めた写真Ｓの角部Ｓ１，Ｓ２をクリアファイル１の表側から表紙１ａの内面にかくし入れするようにしたものである。
【００１７】
写真Ｓの角部Ｓ１，Ｓ２は表紙１ａの内側にかくれるため写真Ｓの角部が他物に当って損傷したり手指が当って怪我することも生じないものとなる。なお、スリット５ａ，５ｄは飾り模様帯４にて囲んで装飾することもある。
【００１８】
本考案のクリアファイル１は写真の添着のほか、ポスカードなどを加えたアルバムとすること、また広告などの印刷物を添着してキャンペーン用として使用することもできる。
【産業上の利用可能性】
【００１９】
本考案のクリアファイルは写真を整然と見やすく並べ飾って、傷つけることのない書類入れにもなる実用的な写真アルバム作りを可能とすることで広く利用されるものである。
【図３】
0003192087.tif 000003
【図４】
0003192087.tif 000004
【図１】
0003192087.tif 000005
【図２】
0003192087.tif 000006
(57)【要約】【課題】  木造建築物の壁面構造に使用される壁パネルに関し、現場で建物の軸組内空間にはめ込むだけで容易に施工でき、外壁材の取り付け作業も簡単におこなえる断熱材一体壁パネルを提供する。【解決手段】  木造建築物の壁面構造に使用される壁パネルであって、方形枠状の木製フレーム１と、面材２と、断熱材３と、外壁取り付け部４とから成り、木製フレーム１に面材２の四辺を接合してその開口部を塞ぎ、該面材２の内側・外側のそれぞれに断熱材３を装着し、さらに、該外側断熱材３の表面に、等間隔に複数の木製の外壁取り付け部４を設けて釘またはビス止めしこれらを一体に形成したことを特徴とし、現場で建物の軸組内空間にはめ込むだけで容易に施工でき、外壁材の取り付け作業も簡単におこなえるようにした。【選択図】図４
0003192394.tif 000002
【実用新案登録請求の範囲】
【請求項１】
木造建築物の壁面構造に使用される壁パネルであって、方形枠状の木製フレームと、面材と、断熱材と、外壁取り付け部とから成り、木製フレームに面材の四辺を接合してその開口部を塞ぎ、該面材の内側・外側のそれぞれに断熱材を装着し、さらに、該外側断熱材の表面に、等間隔に複数の木製の外壁取り付け部を設けて釘またはビス止めしこれらを一体に形成したことを特徴とする断熱材一体壁パネル。
【考案の詳細な説明】
【技術分野】
【０００１】  本考案は、木造建築物の壁面構造に使用される壁パネルに関する。
【背景技術】
【０００２】  従来より、建物の壁面構造を向上させるために様々な提案がなされている。作業効率を目的とした壁パネルもその一つで、工事期間の短縮などに効果を上げている。【０００３】住宅の壁構造を支持可能な壁パネルは、断熱材と併設することにより屋内外の熱を遮断し、住宅全体の保温・断熱効果も期待され、外壁材との組み合わせによりさらなる高性能が期待できる。
【考案の開示】
【考案が解決しようとする課題】
【０００４】  しかしながら、壁パネルの取り付けや断熱材の併設、外壁材の貼り付けには施工基準を満たすための高度な技術や経験を要するため、技術の低い者や未経験者が施工した際、本来有する性能を発揮できなかったり不具合が生じるなどの問題点を有していた。【０００５】本考案は、上記従来有する問題点に鑑み、木造建築物の壁面構造に使用される壁パネルに関し、高度な技術や経験を要することなく、施工現場に於いて正確な取り付け作業が容易にできる壁パネルを提供しようとするものである。【０００６】詳しくは、木造建築物の壁面構造に使用される壁パネルに関し、現場で建物の軸組内空間にはめ込むだけで容易に施工でき、外壁材の取り付け作業も簡単におこなえる断熱材一体壁パネルを提供しようとするものである。
【課題を解決するための手段】
【０００７】  本考案の断熱材一体壁パネルは、木造建築物の壁面構造に使用される壁パネルであって、方形枠状の木製フレーム１と、面材２と、断熱材３と、外壁取り付け部４とから成り、木製フレーム１に面材２の四辺を接合してその開口部を塞ぎ、該面材２の内側・外側のそれぞれに断熱材３を装着し、さらに、該外側断熱材３の表面に、等間隔に複数の木製の外壁取り付け部４を設けて釘またはビス止めしこれらを一体に形成したことを特徴とし、現場で建物の軸組内空間にはめ込むだけで容易に施工でき、外壁材の取り付け作業も簡単におこなえるようにした。
【考案の効果】
【０００８】  本考案によれば、施工現場に於いて正確な取り付け作業等が容易であり、かつ、工事期間の短縮や端材の軽減、効果的な保温・断熱効果が期待できる。
【考案を実施するための最良の形態】
【０００９】  以下、本考案の実施の形態について、図面を参照して説明する。
図１・図２・図３・図４に示すように、本考案の断熱材一体壁パネルは、木造建築物の壁面構造に使用される壁パネルであって、方形枠状の木製フレーム１と、面材２と、断熱材３と、外壁取り付け部４とから成り、木製フレーム１に面材２の四辺を接合してその開口部を塞ぎ、該面材２の内側・外側のそれぞれに断熱材３を装着し、さらに、該外側断熱材３の表面に、等間隔に複数の木製の外壁取り付け部４を設けて釘またはビス止めしこれらを一体に形成したことを特徴とし、現場で建物の軸組内空間にはめ込むだけで容易に施工でき、外壁材の取り付け作業も簡単におこなえるようにした。
【図面の簡単な説明】
【００１０】
【図１】  本考案に於ける断熱材一体壁パネルの分解図である。
【図２】  本考案に於ける断熱材一体壁パネルの正面図である。
【図３】  本考案に於ける断熱材一体壁パネルの背面図である。
【図４】  図２のＡ−Ｂ矢視断面図である。
【符号の説明】
【００１１】  １    木製フレーム
２    面材
３    断熱材
４    外壁取り付け部
【図１】
0003192394.tif 000003
【図２】
0003192394.tif 000004
【図３】
0003192394.tif 000005
【図４】
0003192394.tif 000006
(57)【要約】      （修正有）【課題】地中へ差し込んだとき、地中部分・地上部分、それぞれの長さが正確な寸法としてわかるようにする農園芸支柱を提供する。【解決手段】農園芸支柱本体１の表面に線２、文字３、数字４、記号５、図形６、色彩７等またはそれらを組み合わせて、目印や目盛りとして一定の寸法がわかるしるしを等間隔に標示する。農園芸支柱を地中に差し込んだ時、どの程度の長さを差し込んだか、その寸法が正確に分かり、その支柱の地上に出ている部分の寸法の長さが正確に分かる。よって、農園芸支柱の地上部分の長さ及び高さを正確に統一できる。【選択図】図１
0003192395.tif 000002
【実用新案登録請求の範囲】
【請求項１】
農園芸支柱の表面に線、文字、数字、記号、図形、色彩等またはそれらを組み合わせて、目印や目盛りとして一定の寸法がわかるしるしを等間隔に標示した農園芸支柱。
【考案の詳細な説明】
【技術分野】
【０００１】本考案は農園芸支柱の表面に線、文字、数字、記号、図形、色彩等またはそれらを組み合わせて、目印や目盛りとして一定の寸法がわかるしるしを等間隔に標示した農園芸支柱に関するものである。
【背景技術】
【０００２】現在、使用されている農園芸支柱には、一定の寸法がわかる目印や目盛等がないので、農園芸作業をするときに、地中へ差し込む農園芸支柱の長さは適当であった。よって、地中にどのくらいの長さを差し込んだか、地上に出ている部分の長さや高さがどのくらいなのか、使用時、見た目で正確な寸法が分らなかった。
【考案の概要】
【考案が解決しようとする課題】
【０００３】農園芸作業にて、農園芸支柱を使用する際、その支柱を感覚的に適当な長さで地中に差し込んでいるが、農園芸支柱を地中に差し込んだ時に、その差し込んだ部分の長さが正確に分からないと、その支柱の地上部分の長さや高さも正確に分らず、複数の農園芸支柱を組み合わせて使用するときに、地上に出ているその支柱の長さ部分を同じ長さに出来ず、また高さ部分を同じ高さにできず不均等となり、その支柱の先端部分やまたは中途部分を組み合わせたり、接合したりするときにその接合部分が正確に合わず、バランスが悪くなり、うまく接合できない不具合が生じる。その欠点を解決しようとするものである。
【課題を解決するための手段】
【０００４】本考案は農園芸支柱の表面に目印や目盛りとなる線、文字、数字、記号、図形、色彩等またはそれらを組み合わせた一定の寸法がわかるしるしを等間隔に標示することにより、地中に差し込んだ支柱部分の長さの寸法や地上に出ている支柱部分の長さや高さの寸法を正確に把握することができることにより、問題点を解決している。
【考案の効果】
【０００５】上述のように、農園芸支柱の表面に一定の寸法がわかるしるしをつけることにより、地中に差し込む部分の支柱の長さがわかる。よって、複数の支柱を同じ長さで地中に差し込むことが出来る。結果、それぞれの支柱の地上に出ている部分を同じ長さに統一したり、その支柱の先端部分を同じ高さにしたりできる。
また、複数の農園芸支柱をその支柱の先端や中途部分で結合するときに、地上に出ている部分が同じ長さや高さであると、同一箇所でスムーズに結合することが出来るので、とても便利である。
【図面の簡単な説明】
【０００６】
【図１】本考案の農園芸支柱の斜視図である。
【図２】本考案の農園芸支柱の一実施例を示す立面図である。
【図３】本考案の農園芸支柱の一実施例を示す斜視図である。
【図４】本考案の農園芸支柱の一実施例を示す斜視図である。
【考案を実施するための形態】
【０００７】以下、本考案による農園芸支柱の好ましい実施形態を添付の図面に基づいて説明する。
図１は農園芸支柱全体の斜視図、図２の（Ｘ）は農園芸支柱の最上部を結合器具を用いて結合した立面図及び図２の（Ｙ）は農園芸支柱の上部・中途部分を結合器具を用いて結合した立面図で、農園芸支柱を実際に地中に均等の長さで差し込み、最上部及び中途部分を結合した実施態様を示す図である。
【実施例】
【０００８】図３は本考案の実施例の斜視図であって、畑１１の地表地面９へ本考案の農園芸支柱を、しるしの線２を利用して地中へ差し込み、地上に出ている全ての農園芸支柱を同じ長さにしている。よって支柱先端部分を結合器具にて同じ高さで容易に結合でき、連結支柱もまた、地面９と平行に容易に接続できている。
【実施例】
【０００９】図４は本考案の実施例の斜視図であって、畑１１の地表地面９へ本考案の農園芸支柱を、しるしの色彩７を利用して地中へ差し込み、地上に出ている全ての農園芸支柱を同じ長さにしている。よって支柱中途部分を支柱先端より同じ位置に、結合器具にて容易に結合でき、連結支柱もまた地表地面９と平行に容易に接続出来るのが利点である。
【産業上の利用可能性】
【００１０】本考案は複数の農園芸支柱を地中へ差し込み、立てる際に、それぞれの支柱を正確な寸法で同じ長さを差し込む事ができ、その支柱の地上部分の突端や中途部分を正確に、且つ容易に結合できるためのしるしとして大いに利用することができる。よってその支柱の地上部分の高さも統一できてとても便利である。
【符号の説明】
【００１１】１    農園芸支柱本体
２    線
３    文字
４    数字
５    記号
６    図形
７    色彩
８    結合器具
９    地表地面
１０  地中
１１  畑
１２  連結支柱
【図１】
0003192395.tif 000003
【図２】
0003192395.tif 000004
【図３】
0003192395.tif 000005
【図４】
0003192395.tif 000006
(57)【要約】      （修正有）【課題】自分の足の裏や他の人の足の裏に刺激を与えマッサージ効果を付与する着脱式部分インソールを提供する。【解決手段】着脱式部分インソール１に、軟質の合成樹脂もしくは合成ゴムでできた多数の凸凹２を組み合わせる。使用者は、凸凹の部分が自分の足の裏に当たるように、足の甲にインソールを巻き付けて面ファスナー３で留めて使用する。【選択図】図１
0003192391.tif 000002
【実用新案登録請求の範囲】
【請求項１】
着脱式部分インソ−ルの足の裏が当たる部分に軟質の合成樹脂もしくは合成ゴムでできた多数の凸凹を組み込むことを特徴とする多数の凸凹がついた着脱式部分マッサ−ジインソ−ル。
【考案の詳細な説明】
【技術分野】
【０００１】  本考案は、靴の部分的なインソ−ルを着脱式にし、且つ多数の凸凹を付けたインソ−ルに関するものである。
【背景分野】
【０００２】  従来、扁平足の治療に使うような部分的なインソ−ルは存在していたが、前記インソ−ルに所謂健康サンダルのインソ−ルのように多数の凸凹がついてマッサ−ジ効果を上げるようなものはなかった。
【考案の概要】
【考案が解決しようとする課題】
【０００３】  自分の足の裏を、履物や場所を選ばずに手軽に、マッサ−ジできたり、他人の足を踏んであげる時に自分の足で行なう以上のマッサ−ジ効果を上げる機能を提供する。
【課題を解決するための手段】
【０００４】  本考案は、扁平足のための、矯正用インソ−ルのような着脱式部分インソ−ルに多数の凸凹を足の裏の当たる部分に付ける。
【考案の効果】
【０００５】  場所の屋内外、履物の種類を問わず、足裏マッサ−ジができる。また、靴下などの上から反転してこの部分インソ−ルを足裏につけ、他人の足裏を踏むことにより、足裏踏みマッサ−ジの効果をより上げることができる。
子どもがこのような用具を付けることで、大人への足裏マッサ−ジへの動機付けにも使えふれあいの機会を生み出す可能性もある。
【図面の簡単な説明】
【０００６】
【図１】着脱式部分インソ−ルの足の裏が当たる部分に多数の凸凹をつけたもの。
【考案を実施するための形態】
【０００７】    着脱式部分インソ−ルの足の裏が当たる部分に軟質の合成樹脂もしくは合成ゴムで多数の凸凹をつけたものを組み込む。
【実施例】
【０００８】  以下添付図に従って、一実施例を説明する。１は、着脱式部分インソ−ルの本体図あり、２は、足の裏の当たる部分に合成ゴムなどの軟質の物質を組み込み、前記物質に多数の凸凹を付けたものである。３は、足の甲に巻き付け、留めるための面ファスナ−である。【０００９】  まず、使用者は、２の凸凹の部分が自分の足の裏に当たるように、足の甲に巻き付け立ったり歩いたりして自分の足の裏をマッサ−ジする。【００１０】  靴下などを履きその上から、２の凸凹の部分の裏側が自分の足の裏に当たるように１の本体を、自分の足の甲に巻き付け、他の人の、足の裏踏みマッサ−ジを行なうとき、踏んで上げている人に刺激がより伝わる使い方もできる。
【符号の説明】
【００１１】１  着脱式部分インソ−ル本体
２  インソ−ルに組み込んだ多数の凸凹
３  とめるための面ファスナ−
【図１】
0003192391.tif 000003
(57)【要約】      （修正有）【課題】簡単に設置が可能で重量に耐えることができる重量対応吸盤フックを提供する。【解決手段】フック機構１を有する盤２、または針金細工に、二個以上の複数個の吸盤を取り付けられるよう取り付け孔３または取り付け機構を設けることを特徴とし、この時、盤または針金細工に余分な取り付け孔、または取り付け機構を設け重量に合わせて吸盤の増減も可能とする。【選択図】図１
0003192396.tif 000002
【実用新案登録請求の範囲】
【請求項１】
フック機構を有する盤に、取り付ける吸盤の数に合わせて、もしくは該吸盤の数を超える取り付け孔を用意して、複数の吸盤と組み合わせることによって構成される重量対応吸盤フック。
【請求項２】
フック機構を有する針金細工に、取り付ける吸盤の数に合わせて、もしくは該吸盤の数を超えて取り付け得る構造を用意して、複数の吸盤と組み合わせることによって構成される重量対応吸盤フック。
【考案の詳細な説明】
【技術分野】
【０００１】この考案は簡単に設置が可能な吸盤フックに係るものである。
【背景技術】
【０００２】従来、工作の難しいガラス面、または金属面に対して工事の不要な吸盤フックが便利に使用されてきた。
【考案の開示】
【考案が解決しようとする課題】
【０００３】便利に使うことのできる吸盤フックではあるが時として重量に耐えることができず落下をすることがあった。いまひとつの重量に対応する力が得られるよう考案した。
【課題を解決するための手段】
【０００４】フック機構を有する盤、または針金細工に、二個以上の複数個の吸盤を取り付けられるよう取り付け孔または取り付け機構を設ける。
この時、盤または針金細工に余分な取り付け孔、または取り付け機構が設けてあれば重量に合わせて吸盤の増減も可能である。
【考案の効果】
【０００５】落下をすることが少なくなって便利である。
【考案を実施するための最良の形態】
【０００６】盤の材料は金属、プラスティックのいずれでも良く、針金細工の場合は枡目構造であっても吸盤に針金の通し孔を設けて固定する方法のいずれでも実践が可能である。
【実施例】
【０００７】１０センチ四方の大きさであればたとえば６箇所の孔をあけておけば二つから重量によって六つまでの吸盤を取り付けることが任意となる。
【産業上の利用可能性】
【０００８】安全、簡単、迅速に従来よりも重量について有利なフックを提供できる。
【図面の簡単な説明】
【０００９】
【図１】  本考案の盤による構成の正面図
【図２】  本考案の盤による構成の側面図
【図３】  本考案の針金細工による構成の正面図
【図４】  本考案の針金細工による構成の側面図
【符号の説明】１    フック機構
２    盤
３    取り付け孔
４    吸盤
５    取り付け機構
【図１】
0003192396.tif 000003
【図２】
0003192396.tif 000004
【図３】
0003192396.tif 000005
【図４】
0003192396.tif 000006
(57)【要約】      （修正有）【課題】病院のベットメイク作業を簡素化し、シーツ交換に要する時間を短縮させるシーツを提供する。【解決手段】マットレス用シーツ１の表地を織物・編物の素材に枕を入れる作業を簡素化する為手入れ穴３を設け枕のずれを防ぐ特殊耐熱ホック５を付けた枕カバー２を一体化することによりベットメイクを簡素化し、業務用洗濯の省力化を図りシーツ交換作業の短縮が可能になったことを特徴とする。【選択図】図１
0003192397.tif 000002
【実用新案登録請求の範囲】
【請求項１】
マットレス用シーツと枕カバーの一体化によりシーツ交換作業の簡素化と単体で洗濯していたのを１枚で可能になり業務用洗濯の省力化を図ったシーツ。
【考案の詳細な説明】
【技術分野】
【０００１】マットレス用シーツと枕カバーを一体化し、ベットメイクを容易にするシーツの改良。
【背景技術】
【０００２】従来病院でのベットメイクは、シーツと枕カバーを単体で作業され，業務用洗濯も個々に処理されていたのをシーツと枕カバーを一体化することによりベットメイクの作業性と業務用洗濯においても１枚で処理できトータルコスト削減と省力化を図ったシーツ。
【考案の概要】
【０００３】マットレス用シーツと枕カバーを一体化しベットメイク作業を簡単にしスピード化を図ったシーツ。
【考案が解決しようとする課題】
【０００４】通常病院のベットメイクは、１枚の平シーツと枕カバーを単体で作業され業務用洗濯においても別個に処理をされていました。
【課題を解決するための手段】
【０００５】マットレス用シーツの表地を織物か編物（ニット地）１によって形成されたシーツに枕カバー２に手入れ穴３をつけることにより枕を簡単に装着でき枕のずれを防ぐ特殊耐熱ホック５を付けた枕カバーを一体化したシーツ。
ベットメイクと業務用洗濯の省力化を可能にしました。
【図面の簡単な説明】
【０００６】
【図１】シーツ＆枕カバー一体化の表面図
【図２】枕カバーの拡大図
【符号の説明】
【０００７】１．シーツ本体（素材織物・編物）
２．枕カバー（素材織物・編物）
３．手入れ穴
４．開口部
５．特殊耐熱ホック
【図１】
0003192397.tif 000003
【図２】
0003192397.tif 000004
(57)【要約】      （修正有）【課題】水との接触面積を増加させ、溶解速度を速める錠剤の構造を提供する。【解決手段】錠剤１０は、双性イオン基活性剤２１、カリウム塩類２２、炭酸塩類２３、硫酸塩類２４、ケイ酸塩類２５、リン酸塩類２６、薬草多糖体発酵抽出物２７及びオリゴ糖２８を含有し、錠剤１０の表面に複数本の凹溝１の構造（凹溝または凸縁のいずれであってもよい）が設けられるので、錠剤１０の表面積を増加させることができる。【選択図】図１
0003192332.tif 000002
【実用新案登録請求の範囲】
【請求項１】
錠剤の構造であって、前記錠剤は、双性イオン基活性剤、カリウム塩類、炭酸塩類、硫酸塩類、ケイ酸塩類、リン酸塩類、薬草多糖体発酵抽出物及びオリゴ糖から選ばれる１種又は２種以上を含有し、前記錠剤の表面に複数本の凹溝の構造が設けられることを特徴とする、錠剤の構造。
【考案の詳細な説明】
【技術分野】
【０００１】
本考案は、錠剤の構造に係り、特に土壌改良に用いられ、かつ使用者にとって携帯使用に便利な錠剤に関するものである。
【背景技術】
【０００２】
耕種用土壌は、農作物の大量生産や農作物の密集栽培等によって、土壌中の微量元素が大量に吸収されることから、土壌は、その特性により、農作物の生長に供給するための十分な微量元素を放出することができないことに加えて、数多くの農民は、土壌中の微量元素の残存量を重視しない問題点がある。かつ、化学肥料の使用が極めて便利なため、大量に施用されると、有機肥料の使用機会が相対的に減少するになる。それ故、土壌中の遊離水素イオン濃度は、往々にして水酸化イオン濃度よりも高くなるため、酸性土壌が形成されるので、土壌中の養分供給に影響を与えるのみならず、農作物の根部の伸長展開と微生物の活性にも影響を与える。また、酸性環境下において、真菌の活性が増加するおそれがあることから、これらの真菌は常に農作物の病害の主な原因の一つとなっている。
【考案の概要】
【考案が解決しようとする課題】
【０００３】
なお、酸化土壌は、有機質の欠乏、透気性の低下によって、土壌が固結化されて農作物の根系の発育不良が生じ、生長に影響を与え、農作物の減産の問題をもたらしている。このため、従来技術において、このような問題点を改善、解決するためには、土壌改良剤が用いられているが、従来使用の土壌改良剤のいずれも液体包装されたものであるので、重量が大きいのみならず、大きな体積を占めるため、運送時にも、搬送時にも不便をきたし、運搬コストが多くかかる。かつ、使用過程において、希釈調製時に使用者の双手や衣服等を汚すのみならず、かつ調製比率を精確に制御することが困難となるため、土壌改良剤の価格を高騰させることとなり、使用効率が不十分になるという問題があった。
【課題を解決するための手段】
【０００４】
本考案に係る錠剤の構造は、双性イオン基活性剤、カリウム塩類、炭酸塩類、硫酸塩類、ケイ酸塩類、リン酸塩類、薬草多糖体発酵抽出物及びオリゴ糖から選ばれる１種又は２種以上を含有し、その錠剤の表面に複数本の凹溝の構造が設けられる。
【考案の効果】
【０００５】
そのため、実施後は、以下のような効果作用が提供される。
【０００６】
本考案の錠剤の成分に、少なくとも双性イオン基活性剤、カリウム塩類、炭酸塩類、硫酸塩類、ケイ酸塩類、リン酸塩類、薬草多糖体発酵抽出物、オリゴ糖を含有することによって、土壌酸化及びその土壌固結の問題を確実に解決することができ、これにより土壌の水分浸透能力とガス交換能力を増大させ、農作物の根部の増殖を改善することができると共に、養分吸収を増大させることも可能になる。旱魃に耐えられ、萌芽を促進させることができ、及び土壌中の有益菌の活動力を活発化させる効果が達成される。従って、農作物の生長を刺激してその生産量を増大させることができる。
【０００７】
本考案の錠剤は、表面上に複数本の凹溝の構造が設けられるので、表面積を大幅に増加できる特性が形成されることから、水中に高速溶解効果が十分に発揮され、使用上の利便性をより一層向上させることができる。
【０００８】
錠剤構造の土壌改良剤は、成分の濃度を大幅に高めることができるだけでなく、重量と体積（運搬コストの削減と人力負担の軽減）を減らすこともできる。かつ、取り扱い時に双手や衣服等を汚すことなく、分包・保存が容易となるだけでなく、使用者にとって取り扱いも容易となる。また、加水して希釈調製する過程において、一定数量の錠剤に特定の水量を添加すれば、精確な比率に基づく調製作業（例えば、１粒の錠剤に１リットルの水または１０リットルの水を添加して希釈を行うことにより、便利で迅速に行えるだけでなく、かつ液体土壌改良剤のように、投入量が多すぎたり少なすぎたりし易いことによる調製差異がない）が完成される。
【図面の簡単な説明】
【０００９】
【図１】本考案の構造を示す図である
【考案を実施するための形態】
【００１０】
本考案は、錠剤の構造に係り、前記錠剤１０は、双性イオン基活性剤２１、カリウム塩類２２、炭酸塩類２３、硫酸塩類２４、ケイ酸塩類２５、リン酸塩類２６、薬草多糖体発酵抽出物２７及びオリゴ糖２８を含有し、錠剤１０の表面に複数本の凹溝１の構造（図１に示すように、凹溝または凸縁のいずれであってもよいが、両者は対応関係にあるため、ここでの説明は省略する）が設けられるので、錠剤１０の表面積を増加させることができる。
【００１１】
本考案の錠剤１０の成分に、双性イオン基活性剤２１、カリウム塩類２２、炭酸塩類２３、硫酸塩類２４、ケイ酸塩類２５、リン酸塩類２６、薬草多糖体発酵抽出物２７及びオリゴ糖２８を含有することにより、酸性土壌に対して水素イオン指数の改善を行うと共に、土壌軟化を促進させて有益菌の活動力を活発にする特徴がある。また、薬草多糖体発酵抽出物２７及びオリゴ糖２８により、農作物の根部の生長を促進させ、その中、薬草多糖体発酵抽出物２７は、決明子、白鶴霊芝草、魚腥草、破布子、益母草または他の消炎活性・抗癌活性を有する生薬からの抽出、発酵等の様々な方法で取得することができる。成分の効果が顕著となるだけでなく、かつ異なる産地の生薬の取得難易度に応じて調整を行うので、効果が卓越でしかも価格の低廉な成品を作製して使用者に供給することができ、ウィンウィンの局面が達成される。
【産業上の利用可能性】
【００１２】
従って、本考案の錠剤１０の構造によれば、成分の濃度を大幅に高めることができ、重量と体積（運搬コストの削減と人力負担の軽減）を減らすことができる特徴を有する。かつ、取り扱い時に双手や衣服等を汚すことなく、分包・保存が容易となるだけでなく、使用者にとって取り扱い、携帯も容易となる。また、複数本の凹溝１の構造を有することで、錠剤１０の表面積を大幅に増加させる設計（凹溝１の構造は交錯状を呈する）に基づいて、錠剤１０を水中に投入した後、直ちに迅速に水と完全に接触して良好な溶解効果が得られる。さらに、錠剤１０を水分と等比率で希釈調製する特性に基づいて、使用者は、比率精確な土壌改良剤を迅速に得ることができて使用に供される。
【符号の説明】
【００１３】
１０：錠剤
１：凹溝
２１：双性イオン基活性剤
２２：カリウム塩類
２３：炭酸塩類
２４：硫酸塩類
２５：ケイ酸塩類
２６：リン酸塩類
２７：薬草多糖体発酵抽出物
２８：オリゴ糖
【図１】
0003192332.tif 000003
(57)【要約】      （修正有）【課題】容易に着脱でき安価で機能性の高いアパレルとしてのタオルを提供する。【解決手段】二枚のタオルのそれぞれの一辺を人の頭が入る大きさの中央部分を残して縫い合わせる。または一枚のタオルの中央部分に人の頭が入る大きさの切れ目を設ける。これにより、タオルの持つ吸湿性・保温性より暑さによる汗・寒さから、体調不良等も守ろうとするものである。【選択図】図１
0003192333.tif 000002
【実用新案登録請求の範囲】
【請求項１】
二枚のタオルのそれぞれの一辺を人の頭が入る大きさの中央部分
を残して縫い合わせたこと、または一枚のタオルの中央部分に人の頭
が入る大きさの切れ目を設けたこと、を特徴とするタオル。
【考案の詳細な説明】
【考案の概要】
【考案が解決しようとする課題】
【０００１】
暑い季節は、特に風呂上り等は、汗が止まらずバスタオル、タオルを何枚も使ってしまいます。
汗かきの人は、さらに何枚も使ってしまうものです。
肌着を身に着けた後も、ジュワリと汗が出てきて、肌着を取り換えなければなりません。
こんな時に、タオルを前（胸、腹の部分）と後（背中）に一枚づつ、肌着の下に滑り込ませるよう
に入れておくと、汗を吸収し、不快感もなく気持ちよく過ごすことができます。洗濯物も少なくて
済み、又、湯冷め等による風邪の心配も少なくて済みます。
又、寒い季節は、防寒の役目も果たし、保温性にとても優れています。
したがって、タオル（様々な大きさの）の中央部に、頭の入る大きさのスペースを設けることに
より、簡単に着脱ができ、アパレルとしての機能も兼ね備えています。
【図面の簡単な説明】
【０００２】
【図１】図１abは、二枚のタオルの片面を中央部分Ｒを残し、縫い合わせたもので、aは、縦にＲを残し、bは、横に残したもの。
【図２】図２abは、一枚のタオルの中央部分Ｒを切断したもので、aは、縦に切断したもので、bは、横に切断したもの。
【考案を実施するための形態】
【０００３】
スペースの開いた中央部分に頭を入れ、胸と背中を覆うように着用する。
【産業上の利用可能性】
【０００４】
本考案は、既存のタオルに、少しの加工を加えることにより、様々な場面での活躍が、期待できる。したがって、タオル業界にとっても大きな革新となると思われる。タオルの持つ、吸湿性・保温性から本考案のタオルを纏うと、安心感・幸福感等の心地よさが感じられる。様々な場面で考えられるその用法と効果は、次の通り
１  乳幼児のよだれかけ・肌着として  ：  乳幼児の場合、裸で過ごすような自由に動ける衣服が必要だが、現在の肌着は、体に密着したものが多く、動きを束縛しているようである。本考案のタオルは、乳幼児の動きを妨げることなく心地よく過ごせ、よだれかけとしても使え、経済的になる。
２  子供から大人までタオルの代わりに  ：  本考案の目的は、タオルとして使うことにあり、最小限の加工に止めることである。本考案のタオルを使用することにより、省力的な汗取り・防寒対策が、可能となり、家庭での洗濯物も減り、病気予防（風邪など）にもなり、看護用としても使える。又、あらゆるスポーツのシーンに於いても、クールダウンの時などに使用できる利便性がある。
３  宿泊施設のバスタオル・バスローブの代わりに  ：  宿泊施設（ホテル等）では、タオル、バスタオル、バスローブを揃えたところもあるが、例えば、バスタオルに本考案を取り入れた場合、バスローブの代わりにもなり、コスト削減に寄与できる。
４  介護用として  ：  寝たきりの人の介護は、衣類の着脱がとてもたいへんである。本考案タオルは、着脱が容易であり、その吸湿性・保温性から、体の温度変化を抑え、健康維持にも役立つ。又、タオル地であり洗濯も容易で、乾燥も早いメリットがある。
５  災害時の緊急用物資として  ：  天災時等に支給される衣類は、数多くの人たちが被災した場合、その衣類の種類・サイズ・大きさは、様々であり把握も難しい。本考案のタオルは、人のサイズのデータから容易に、サイズごとに作ることが可能であり、暑い時も、寒い時もそれなりの用を足すことが出来る。コストも抑えられ、迅速で大量に供給も可能である。
【符号の説明】
【０００５】
図１ab  １  縫い合わせていない部分  ２・３  縫い合わせた部分
図２ab  １  切断した部分
R（頭の直径）＞頭のサイズ÷π（円周率）
【図１】
0003192333.tif 000003
【図２】
0003192333.tif 000004
(57)【要約】      （修正有）【課題】道路の高いところにサイドカーの車輪が乗った場合でも自転車のハンドルをとられず、安定走行できるサイドカー付き自転車を提供する。【解決手段】サイドカー付き自転車１の後輪に補助輪２を路面２０から１ｃｍ以内浮かして取り付けている。サイドカー付き自転車の場合、サイドカーの車輪が高いところに乗ったときにハンドル操作が不安定になるが、補助輪２によりハンドル操作を安定させることができる。【選択図】図１
0003192316.tif 000002
【実用新案登録請求の範囲】
【請求項１】
自転車後輪のハブの右側端部に自転車のハンドル操作を安定させるための補助輪を取
り付け、ハブの左側端部にサイドカーを取り付けることを特徴とするサイドカー付き自
転車。
【請求項２】
自転車後輪のスタンド受け金具に、補助輪を取り付けることを特徴とする請求項１記載
のサイドカー付き自転車。
【請求項３】
自転車の路面よりも補助輪を１ｃｍ以内浮かして取り付けることを特徴とする請求項
１又は請求項２記載のサイドカー付き自転車。
【考案の詳細な説明】
【技術分野】
【０００１】
本考案は、ハンドル操作が安定するサイドカー付き自転車に関する。
【背景技術】
【０００２】
子供を乗せる自転車として従来サイドカー付き自転車が提供されている。
【考案の開示】
【考案が解決しようとする課題】
【０００３】
サイドカー付き自転車においては、サイドカーの全高が低いので、自転車を運転する者は左に首を動かすだけで簡単に安全確認ができる。しかし、サイドカーの車輪が高いところを走行するとハンドルをとられ不安定になる。
【課題を解決するための手段】
【０００４】
サイドカー付き自転車は、自転車後輪のハブの右側端部にハンドル操作を安定させるための補助輪を取り付け、ハブの左側端部にサイドカーを取り付けるようにしたものである。
【０００５】
サイドカー付き自転車は、自転車後輪のスタンド受け金具に、補助輪を取り付けるようにしたものである。又、自転車の路面よりも補助輪を１ｃｍ以内浮かして取り付けるようにしたものである。
【考案の効果】
【０００６】
本考案により、自転車のハンドルが取られることを防止でき、安定した走行ができるサ
イドカー付き自転車を提供することができる。
【図面の簡単な説明】
【０００７】
【図１】本考案の補助輪及びサイドカー付き自転車を表す図である。
【図２】本考案のサイドカー付き自転車の後輪の断面図である。
【考案を実施するための形態】
【０００８】
以下本考案の最適な実施の形態を図１及び図２にもとづいて詳細に説明する。
図１において、１は自転車の本体である。補助輪２は自転車本体１の後輪のハブ６ａに
取り付けられている。また補助輪２は、平テツ２ａと平テツ２ａによって保持されるタ
イヤ本体２ｂから構成されている。
【０００９】
図１において、アングル４は、自転車の後輪のハブ６ｂに固定してあるスタンド受け金
具７ｂと、サイドカー５とを連結するものである。サイドカー５は補助輪２の反対側に
取り付けられている。なお、サイドカー５は、取付部５ａ（例えば、アングルや鉄製の
棒）を用いて、アングル４に固定されているものとする。
【００１０】
図２は、補助輪２の縦断面図である。６ａ、６ｂは自転車の後輪を支えるハブ、７ａ、
７ｂはハブに固定されているスタンド受け金具である。
【００１１】
図２の平テツ２ａは、自転車の軸（ハブ）６ａに固定されてあるスタンド受け金具７ａ
に補助輪本体２ｂを固定するものである。
【００１２】
図２において９は、補助輪のタイヤ本体２ｂを平テツ２ａ内に回転可能に取り付ける補
助輪２の回転軸である。回転軸９にタイヤ本体２ｂを取り付け自由に回転させる。
【００１３】
図２の隙間１０は、路面２０と補助輪２のタイヤ本体２ｂとの空間である。隙間１０は
１ｃｍ以内に設定おり、補助輪２は路面２０から１ｃｍ以内浮かして取り付けられてい
る。道路走行中にサイドカー５の車輪が道路の高いところに乗ると、補助輪２が道路路
面２０に接するので、道路の高い所にサイドカーの車輪が乗ってもハンドル操作が安定
する。
【符号の説明】
【００１４】
１            サイドカー付き自転車本体
４            サイドカー取り付け部
５            サイドカー本体
６ａ、６ｂ    自転車軸の（ハブ）
７ａ、７ｂ    自転車軸スタンド受け金具
２            補助輪
【図１】
0003192316.tif 000003
【図２】
0003192316.tif 000004
(57)【要約】      （修正有）【課題】吸気側の高濃度酸素と呼気側の二酸化炭素の混合をなくし、呼吸時に供給される高濃度の酸素を有効的に吸気できるようにした酸素濃縮器用酸素マスクを提供する。【解決手段】マスク本体１の内側に、鼻を覆う部位と口を覆う部位の間に仕切り板２を設けて吸気室３と呼気室４に分け、吸気室に接続コネクタ６を介して供給される高濃度酸素は鼻からの吸気を自在とするとともに、呼気室に排出される呼気を呼気排出口５からマスク本体の外部に排出自在にした。【選択図】図５
0003192368.tif 000002
【実用新案登録請求の範囲】
【請求項１】
マスク本体の内側に、鼻を覆う部位と口を覆う部位の間に仕切り板を設けて吸気室と呼気室に分け、吸気室に供給される高濃度酸素は鼻からの吸気を自在とするとともに、呼気室に排出される呼気をマスク本体の外部に排出自在した酸素濃縮器用酸素マスク。
【考案の詳細な説明】
【技術分野】
【０００１】
酸素濃縮器（酸素ボンベ等を含む。）より、高濃度の酸素を酸素吸入者に供給するための酸素マスクに関する。
【背景技術】
【０００２】
従来この種の酸素マスクは図１、図２に示すように、酸素吸入(吸気)と、体内からの二酸化炭素の排出(呼気)を、吸気側と呼気側が一体のマスク内に行うため、マスク内で酸素濃縮器から供給された高濃度酸素と呼気が酸素マスク内に貯留・混合し、そのためマスク内では酸素濃度が低下することになり、濃度の低下した酸素を吸気していた。
また、呼気排出口が鼻の高さの位置にあるため、高濃度酸素は、鼻から吸気される前に、呼気排出口から排出されて無駄となる恐れがあった。
【考案の概要】
【考案が解決しようとする課題】
【０００３】
そこで本考案では、マスク本体の鼻を覆う部分と口を覆う部分の間に、仕切り板を入れて、吸気時は鼻から吸気し、口からの呼気を排出自在として、マスク内に排出された呼気は、マスクの口を覆う部分に設けた呼気排出口より外部に排出されるようにし、吸気側の高濃度酸素と呼気側の二酸化炭素の混合をなくし、呼吸時に酸素濃縮器から供給される高濃度の酸素を有効的に吸気することができるようにしようとするものである。
【課題を解決するための手段】
【０００４】
本考案は、マスク本体の内側に、鼻を覆う部位と口を覆う部位の間に仕切り板を設けて吸気室と呼気室に分け、吸気室に供給される高濃度酸素は鼻からの吸気を自在とするとともに、呼気室に排出される呼気をマスク本体の外部に排出自在した酸素濃縮器用酸素マスクである。
【考案の効果】
【０００５】
こうすることによりマスク本体の呼気室側に排出された呼気は、仕切り板があるため、吸気室側に侵入したり貯留することなく（或いは可及的に少なくなる。）、呼気室側の側部に設けたに設けた呼気排出口より外部に排出され、吸気室側の高濃度酸素と呼気室側の二酸化炭素が混合することはなくなり、呼吸時は酸素濃縮器から供給される高濃度の酸素を吸気し続けることができ、酸素の吸気に必要な高濃度酸素の供給量も従来より少量ですむ。
【実施例】
【０００６】
マスク本体１の内側に、鼻を覆う部位と口を覆う部位の間に仕切り板２を設けて吸気室３と呼気室４に分け、吸気室３に供給される高濃度酸素は鼻からの吸気を自在とするとともに、呼気室４に排出される呼気を該呼気室４の側部に設けた呼気排出口５より外部に排出自在したしたものである。
【０００７】
呼気排出口５は図６のように呼気室４の下方を解放して設け、下部外方に呼気を排出するようにしてもよい。その他呼気の排出手段としては汎用の手段でもよく、また弁などを併用してもよい。
【０００８】
図中６は接続コネクタで図示しない酸素濃縮器や酸素ボンベからの酸素チューブを接続するものである。
【０００９】
呼気排出口５は呼気室４の下方を解放して下部外方に呼気を排出するようにしてもよい。その他呼気の排出手段としては汎用の手段でもよく、また弁などを併用してもよい。
【図面の簡単な説明】
【００１０】
【図１】従来酸素マスクの正面説明図
【図２】同側面説明図
【図３】本考案にかかわる酸素マスクの正面説明図
【図４】同側面説明図
【図５】図４の縦断面説明図
【図６】他実施例にかかわる酸素マスクの縦断面説明図
【符号の説明】
【００１１】
１：マスク本体
２：仕切り版
３：吸気室
４：呼気室
５：呼気排出口
６：接続コネクタ
【図１】
0003192368.tif 000003
【図２】
0003192368.tif 000004
【図３】
0003192368.tif 000005
【図４】
0003192368.tif 000006
【図５】
0003192368.tif 000007
【図６】
0003192368.tif 000008
(57)【要約】      （修正有）【課題】より手もみに近いマッサージ感覚と、高い水分・脂肪の絞り出し効果を有するマッサージローラーを提供する。【解決手段】マッサージ器具に搭載する柱状のマッサージローラーであって、回転軸１３を中心軸１２に対して偏芯して設ける。柱の形状が楕円柱であることが好ましい。１回転中に起こる摩擦挙動に強弱を起し、手もみによるマッサージに匹敵する感覚を与え、高い水分・脂肪の絞り出し効果を生じさせる。【選択図】図１
0003192365.tif 000002
【実用新案登録請求の範囲】
【請求項１】
マッサージ器具に搭載する柱状のマッサ−ジローラーであって、
回転軸を前記柱の中心軸に対して偏芯して設けることを特徴とするマッサ−ジローラー。
【請求項２】
前記柱状のマッサ−ジローラーは楕円柱であることを特徴とする請求項１記載のマッサ−ジローラー。
【考案の詳細な説明】
【技術分野】
【０００１】
本考案は、マッサージローラーに関する。
【背景技術】
【０００２】
ハンディータイプのマッサージローラーとしては、複数のローラーが1組で回転するものが知られている。これらのマッサージローラーに使用されるローラーの基本形状は通常、円柱である。
【０００３】
また、被施術者に通常とは異なる感覚を与えるため、ローラーに突起を付けたり、球体のローラーを使用したりするなど、ローラーの形状や皮膚への摺接面に変化を与えたものも多く市販されている。
【先行技術文献】
【特許文献】
【０００４】
【特許文献１】特開２００５−５８５８１号公報
【特許文献２】特開２０１３−１２８６９９号公報
【考案の概要】
【考案が解決しようとする課題】
【０００５】
前述したように、一般のマッサージローラーで使用されているローラーの形状は円柱である。円柱のローラーは皮膚を押接した状態での回転がスムースであるが、断面の形状が完全な円形であることから、筋肉に対して常に均一の負荷のみを与える。
【０００６】
したがって、筋肉上でこの種のローラーを摺動させても表面に波を生じさせるのがせいぜいで、細胞中の水分・脂肪を絞り出す効果は比較的小さいと考えられる。
【０００７】
これに対して、筋肉表面に対して不規則な刺激を与え、マッサージ器をより手による施術に近づけることを課題として、特許文献１及び２の発明が提案されている。特許文献１においては、複数の小径の円柱ローラーを１つの大径の円柱の周囲に固着させ、前記大径の円柱を回転させることにより前記複数の小径の円柱を一定の間隔で筋肉に当接させる手法のマッサージ器の発明が開示されている。また、特許文献２では、円柱のローラーの代わりに多角柱のローラーを使用し、顔面の広い範囲に変化ある刺激を与えることを狙ったマッサージ器の発明が開示されている。
【０００８】
しかしながら、上記の両発明はいずれも回転体の中心軸が回転軸と一致しているため、マッサージ部の筋肉表面への摺接が単調となり、手もみによるマッサージと比較すると、さほどの水分・脂肪の絞り出し効果を期待することはできない。
【０００９】
また、特許文献２の多角柱ローラーは筋肉表面に摺接する状態での回転に難があることから、ローラーのスムースな回転を補助するために別途球体のマッサージ部をローラーより先に皮膚に摺接する形で設置しているが、このような組み合わせは構造が複雑になるうえ、別途球体を設けたことによっても多角柱ローラーの筋肉表面での摺接移動が円滑に進行することは難しいと考えられる。
【００１０】
上述の問題に鑑み、本考案においては、より手もみに近いマッサージ感覚と、高い水分・脂肪の絞り出し効果を有するマッサージローラーを提供することを課題とする。
【課題を解決するための手段】
【００１１】
上記課題を解決するために、請求項１に記載のマッサージローラーは通常のマッサージ器具に搭載する柱状のマッサ−ジローラーであって、回転軸を中心軸に対して偏芯して設けることを特徴とする。
【００１２】
また、請求項２に記載のマッサージローラーは、回転軸の偏芯に加えて、柱の形状が楕円柱であることを特徴とする。
【考案の効果】
【００１３】
ローラーの回転軸を中心軸に対して偏芯させて設置すること、及びローラーの形状を楕円柱とすることにより1回転に起こる摩擦挙動に強弱を与え、被施術者に対し、手もみによるマッサージに匹敵する施術感覚を与える。
【００１４】
手もみによるマッサージと同等の、高い水分・脂肪の絞り出し効果を生じさせる。
【００１５】
本マッサージローラー表面に突起物を設ける、又は／及び本マッサージローラーをＥＭＳ（Electric Muscle Stimulation）と呼ばれる電気刺激タイプのマッサージ器に組み入れる構成とすることにより、より相乗的な水分・脂肪の絞り出し効果を得ることができる。
【図面の簡単な説明】
【００１６】
【図１】本マッサージローラーの斜視図である。（Ａ）、（Ｂ）はそれぞれ経時的に異時点のマッサージローラーの状態を示す。
【図２】本実施形態のマッサージローラーに使用状態を示す縦断面図である。
【考案を実施するための形態】
【００１７】
本実施形態においては、請求項２の考案について図を用いて説明する。
【００１８】
図１は経時的に異なる時点（Ａ）、（Ｂ）におけるマッサージローラー１の状態を示す斜視図である。図に示すように本実施例のマッサージローラーは形状が楕円柱であり、回転軸１３は中心軸１２に対して偏芯して設置されている。
【００１９】
実際に機器に搭載する場合には、複数のマッサ−ジローラー１を、回転軸１３を平行にして、平面上又は略円周上に配置する。図２は３個のマッサ−ジローラー１を水平に配置した機器を想定し、ローラー１の筋肉表面２への作用を示すものである。
【００２０】
１個のローラー１について1回転中に起こる摩擦挙動が均一でないことに加え、３個のローラー１の各々の摩擦挙動が異なることから、３個のローラー１の筋肉表面２への総体的作用は複数の手による手もみに匹敵するものとなることが、筋肉表面２の動きから理解できる（図２）。
【００２１】
以上、本考案の有する特徴及び優れた点を上記実施形態に記載したが、本考案は、本考案の原理の範囲内で、本願の実用新案登録請求の範囲で使用されている言葉を広く一般的な意味にまで広げて実施することが可能である。特に請求項１に記載のマッサージローラーの形状は多角柱その他の形状とすることができるほか、回転軸の偏芯の程度も多様に設定することが可能であり、それらは本考案の技術的範囲に含まれるものと解する。
【符号の説明】
【００２２】
１    マッサ−ジローラー
１２  中心軸
１３  回転軸
２    筋肉表面
【図１】
0003192365.tif 000003
【図２】
0003192365.tif 000004